(57)【要約】【課題】特別な除霜運転を行うことなく蒸発器への着霜を防ぎ、安定して継続的に室内の空気を除湿し、適温で送風することができ、複雑な制御も不要で動作の安定性に優れた除湿送風機を提供する。【解決手段】内蔵された送風手段１４で室内の空気を吸込口１２から吸込み、吹出口１３から室内に吹出す筐体１１と、圧縮機１５、凝縮器１７、絞り手段１９、蒸発器２０の順に冷媒を循環させる冷媒循環路１６と、冷媒循環路１６の途中に分岐して設けられ、蒸発器２０から流出する冷媒を冷却器２３に通して冷媒循環路１６に戻す分岐循環路２２とを有し、筐体１１内を通過する空気の流れに対して、蒸発器２０は凝縮器１７の上流側に配置され、冷却器２３は凝縮器１７の下流側に配置されており、冷媒循環路１６と分岐循環路２２との接続位置には、分岐循環路２２の開閉を切り替える循環路切り替え手段２４、２５が設けられている。【選択図】図１
2019020020.tif 000002
【特許請求の範囲】
【請求項１】
吸込口と吹出口とが設けられた筐体と、該筐体内に設けられ前記吸込口から前記筐体内に空気を吸込み、前記吹出口から前記筐体外に吹出す送風手段と、冷媒を圧縮して吐出する圧縮機と、該圧縮機から吐出される冷媒を循環させて前記圧縮機に戻す冷媒循環路とを有し、該冷媒循環路の途中には、前記筐体に内蔵され前記圧縮機から吐出される冷媒を凝縮する凝縮器と、該凝縮器で凝縮された冷媒を減圧する絞り手段と、前記筐体に内蔵され該筐体内を通過する空気の流れに対して前記凝縮器の上流側に配置され、前記絞り手段で減圧された冷媒をガス化させる蒸発器と、前記蒸発器と前記圧縮機との間で前記冷媒循環路に接続され、前記蒸発器から流出する冷媒を循環させて前記冷媒循環路に戻す分岐循環路とが設けられ、該分岐循環路の途中には冷却器が接続され、該冷却器は、前記筐体に内蔵され該筐体内を通過する空気の流れに対して前記凝縮器の下流側に配置されており、前記冷媒循環路と前記分岐循環路との接続位置には、該分岐循環路の開閉を切り替える循環路切り替え手段が設けられていることを特徴とする除湿送風機。
【請求項２】
請求項１記載の除湿送風機において、前記分岐循環路には、該分岐循環路を循環する冷媒の流量を調整する流量調整手段が設けられていることを特徴とする除湿送風機。
【請求項３】
請求項１又は２記載の除湿送風機において、前記蒸発器に付着する霜は、前記凝縮器からの放熱によって溶かし、ドレン水として滴下させることを特徴とする除湿送風機。
【請求項４】
請求項３記載の除湿送風機において、前記蒸発器の下方には、該蒸発器から滴下する前記ドレン水を回収するドレン水回収部と、該ドレン水回収部に接続され該ドレン水回収部に溜まった前記ドレン水を前記筐体の外部に排出するドレン水排出部が設けられていることを特徴とする除湿送風機。
【発明の詳細な説明】
【技術分野】
【０００１】
本発明は、室内の空気を除湿して適温で送風する除湿送風機に関する。
【背景技術】
【０００２】
従来の除湿機は、吹出口から冷風だけを吹出させるクール運転と、吹出口から冷風と温風の混合風を吹出させるドライ運転を行うようにし、ドライ運転で室内の除湿や洗濯物等の乾燥を行っているが、乾燥に時間がかかり、また、温風のみを用いた衣類等の乾燥運転はできないという問題があった。
これを改善するものとして、例えば、特許文献１には、少なくとも蒸発器と凝縮器を有する除湿機において、蒸発器を通過した冷風を第１の風路に導く第１の送風機と、凝縮器を通過した温風を第２の風路に導く第２の送風機と、第１の風路に導かれた冷風を前面上方吹出口から吹出させるか又は背面吹出口から吹出させるかを選択できるとともに、第２の風路に導かれた温風を前面上方吹出口から吹出させるか又は背面吹出口から吹出させるかを選択することができ、冷風及び温風のいずれか一方又は両方を前面上方吹出口から選択的に吹出させるダンパー機構を備えた除湿機が記載されている。
また、従来の空調機や除湿機では、冷風を送風する場合や除湿を行う場合に、蒸発器の温度が氷点下になると、空気中の水分が霜となって蒸発器のフィン等の表面に付着（着霜、氷結）して、送風路が塞がれて風路圧損の原因になると共に、冷媒と空気が熱交換を行う際の熱抵抗となって、伝熱性能を低下させるという問題があった。そこで、蒸発器に付着した霜を溶かして除去するための除霜運転が行われている。
例えば、特許文献２には、蒸発器に氷結（着霜）が生じた場合に蒸発器および凝縮器に冷媒を循環させる圧縮機を一時停止させると共に除霜用ヒータを通電させ蒸発器の除霜を行うようにした除湿機が記載されている。
また、特許文献３には、蒸発器の温度を検知する温度センサーを備え、温度センサーが着霜温度を検知した際に、圧縮機によって圧縮されてホットガスとなった冷媒を、バイパス配管を経て蒸発器へと導き、蒸発器に付着した霜を融解除去する除霜運転を行う除湿器が記載されている。
【先行技術文献】
【特許文献】
【０００３】
【特許文献１】特許第５２４１９３５号明細書
【特許文献２】特許第３５７３８２２号明細書
【特許文献３】特許第４２９８３３７号明細書
【発明の概要】
【発明が解決しようとする課題】
【０００４】
しかしながら、特許文献１では、第１、第２の風路、及び第１、第２の送風機を必要とし、ダンパー機構により、冷風及び温風のいずれか一方又は両方を前面上方吹出口から選択的に吹出させる構造であるため、可動部が多く、動作不良や故障の発生原因になり易いという問題がある。また、特許文献１では、蒸発器の着霜対策については考慮されていない。
これに対し、特許文献２では、蒸発器に氷結（着霜）が生じた場合に、除霜用ヒータで蒸発器の表面を加熱して除霜を行っている。しかし、除霜運転中は圧縮機を一時停止する必要があり、その間は除湿が行われず、冷風又は温風を選択的に送風することもできないため、結果的に有効な運転時間が短くなり、能力低下が発生するという問題がある。さらに、除霜用ヒータを駆動するための電力も必要となり、省エネルギー性に欠けるという問題もある。
また、特許文献３の除霜運転では、圧縮機によって圧縮されてホットガスとなった冷媒を蒸発器に流すことにより除霜を行うので、特許文献２のように、別途、除霜用ヒータ等の加熱手段を設ける必要はないが、除霜運転中は除湿や送風を行うことができない。従って、特許文献２と同様に、低温時の除湿能力の低下は避けられないという問題があった。さらに、特許文献３では、除湿運転時に、温度センサーが着霜温度を検知した後、蒸発器に付着した霜を除去するための除霜運転に切り替えるまでの時間を、前回の除霜開始から温度センサーが除霜終了温度を検知するまでの所要時間に応じて変化させる制御を行っているが、着霜状態は常に変化するので、除霜運転の開始と終了のタイミングを的確に判断することは困難である。よって、無駄な除霜運転を防ぎ、動作不良や能力低下の発生を防止するためには、さらに複雑な制御やセンサーの工夫が必要であり、部品点数も増え、コストアップにつながるという問題もあった。
本発明は、かかる事情に鑑みてなされたもので、低温環境等においても特別な除霜運転を行うことなく、蒸発器への着霜を防ぎ、安定して継続的に室内の空気を除湿し、適温で送風することが可能であり、複雑な制御も不要で、動作の安定性に優れた除湿送風機を提供することを目的とする。
【課題を解決するための手段】
【０００５】
前記目的に沿う本発明に係る除湿送風機は、吸込口と吹出口とが設けられた筐体と、該筐体内に設けられ前記吸込口から前記筐体内に空気を吸込み、前記吹出口から前記筐体外に吹出す送風手段と、冷媒を圧縮して吐出する圧縮機と、該圧縮機から吐出される冷媒を循環させて前記圧縮機に戻す冷媒循環路とを有し、該冷媒循環路の途中には、前記筐体に内蔵され前記圧縮機から吐出される冷媒を凝縮する凝縮器と、該凝縮器で凝縮された冷媒を減圧する絞り手段と、前記筐体に内蔵され該筐体内を通過する空気の流れに対して前記凝縮器の上流側に配置され、前記絞り手段で減圧された冷媒をガス化させる蒸発器と、前記蒸発器と前記圧縮機との間で前記冷媒循環路に接続され、前記蒸発器から流出する冷媒を循環させて前記冷媒循環路に戻す分岐循環路とが設けられ、該分岐循環路の途中には冷却器が接続され、該冷却器は、前記筐体に内蔵され該筐体内を通過する空気の流れに対して前記凝縮器の下流側に配置されており、前記冷媒循環路と前記分岐循環路との接続位置には、該分岐循環路の開閉を切り替える循環路切り替え手段が設けられている。
【０００６】
本発明に係る除湿送風機において、前記分岐循環路には、該分岐循環路を循環する冷媒の流量を調整する流量調整手段が設けられていることが好ましい。
【０００７】
本発明に係る除湿送風機において、前記蒸発器に付着する霜は、前記凝縮器からの放熱によって溶かし、ドレン水として滴下させることが好ましい。
【０００８】
本発明に係る除湿送風機において、前記蒸発器の下方には、該蒸発器から滴下する前記ドレン水を回収するドレン水回収部と、該ドレン水回収部に接続され該ドレン水回収部に溜まった前記ドレン水を前記筐体の外部に排出するドレン水排出部が設けられていることが好ましい。
【発明の効果】
【０００９】
本発明に係る除湿送風機は、圧縮機、凝縮器、絞り手段、蒸発器の順に冷媒を循環させる冷媒循環路に加え、冷媒循環路から分岐し、蒸発器を通過した冷媒をさらに冷却器に通して循環させる分岐循環路を有しており、冷媒循環路と分岐循環路との接続位置に分岐循環路の開閉を切り替える循環路切り替え手段が設けられているので、循環路切り替え手段により、簡単に２つの循環路を切り替えることができる。よって、分岐循環路を閉じ、冷媒循環路のみに冷媒を循環させた際には、筐体内を通過する空気は、蒸発器を通過する際に一旦冷却され、空気中に含まれる水蒸気の一部が凝縮し、その後、凝縮器を通過する際に加熱されることにより、除湿された空気を送風することができる。これに対し、分岐循環路を開き、蒸発器から流出した冷媒をさらに冷却器に通して循環させた際には、先に凝縮器で加熱された空気を冷却器で冷却してから送風することができる。
分岐循環路に、分岐循環路を循環する冷媒の流量を調整する流量調整手段が設けられている場合、分岐循環路を循環する冷媒の流量に応じて、冷却器を通過した後の空気の温度を調整することができる。
蒸発器に付着する霜を凝縮器からの放熱によって溶かし、ドレン水として滴下させた場合、圧縮機を停止させることなく、常時、除湿運転を行いながら、除霜することができ、複雑な制御が不要で、動作の安定性に優れる。また、除霜のための加熱手段を別途、設ける必要がなく、省エネルギー性に優れる。さらに、凝縮器からの放熱（排熱）を有効に利用して除霜を行うことにより、凝縮器の排熱で筐体の内部や室内が温度上昇することを防止できる。
蒸発器の下方に、蒸発器から滴下するドレン水を回収するドレン水回収部と、ドレン水回収部に接続されドレン水回収部に溜まったドレン水を筐体の外部に排出するドレン水排出部が設けられている場合、ドレン水を自動的に屋外等に排出することができる。また、屋外への放熱も少なく抑えることができる。
【図面の簡単な説明】
【００１０】
【図１】本発明の一実施の形態に係る除湿送風機の構成を示す側面図である。
【図２】同除湿送風機の第１の動作を示す説明図である。
【図３】同除湿送風機の第２の動作を示す説明図である。
【図４】同除湿送風機の変形例の動作を示す説明図である。
【発明を実施するための形態】
【００１１】
続いて、添付した図面を参照しつつ、本発明を具体化した実施の形態につき説明し、本発明の理解に供する。
本発明の一実施の形態に係る除湿送風機１０は、図１〜図３に示すように、室内に設置することにより、室内の空気を除湿し、適温で送風して循環させるものである。
以下、除湿送風機１０の詳細について説明する。
まず、図１〜図３に示すように、除湿送風機１０の筐体１１の正面側の高さ方向中央部及び正面側の上方には、除湿送風機１０が設置される室内と筐体１１の内部を連通させる空気の吸込口１２及び吹出口１３がそれぞれ設けられている。そして、筐体１１内の上方には送風手段としてファン１４が設置されており、ファン１４を駆動することにより、室内の空気を吸込口１２から筐体１１内に吸込み、筐体１１内を通過させ、吹出口１３から室内に吹出して循環させることができる。なお、図２、図３の二点鎖線で囲まれた範囲が、筐体１１内で空気が通過する領域を示している。
また、筐体１１内の下部には冷媒を圧縮して吐出する圧縮機１５が設けられており、圧縮機１５から吐出される冷媒は、筐体１１内に設けられた冷媒循環路１６を循環する。冷媒循環路１６の圧縮機１５の下流には、圧縮機１５から吐出される冷媒を凝縮（液化）する凝縮器１７が設けられ、凝縮器１７の下流には凝縮器１７を通過した冷媒を一時的に貯えるレシーバータンク１８が設けられている。レシーバータンク１８では、凝縮器１７で液化した液冷媒と、液化しきれなかったガス冷媒が分離され、室内の環境や運転条件に応じて、適量の液冷媒のみが下流側に供給される。レシーバータンク１８の下流には、冷媒を減圧する絞り手段として膨張弁１９が設けられている。そして、膨張弁１９の下流には、膨張弁１９を通過して減圧された冷媒をガス化（蒸発）させる蒸発器２０が接続されている。この蒸発器２０は、筐体１１内を通過する空気の流れに対して、凝縮器１７の上流側（吸込口１２側）に配置される。冷媒循環路１６の蒸発器２０の下流には蒸発器２０を通過した冷媒を一時的に貯えるアキュームレーター２１が設けられている。アキュームレーター２１では蒸発器２０で蒸発したガス冷媒と、蒸発しきれなかった液冷媒が分離され、圧縮可能なガス冷媒のみが下流側の圧縮機１５に戻される。
【００１２】
また、筐体１１内には、冷媒循環路１６に加え、蒸発器２０の下流側（かつ、アキュームレーター２１、圧縮機１５の上流側）で冷媒循環路１６に接続され、蒸発器２０から流出する冷媒を循環させて冷媒循環路１６に戻す分岐循環路２２が設けられている。そして、分岐循環路２２の途中には冷却器２３が接続されている。この冷却器２３は、筐体１１内を通過する空気の流れに対して、凝縮器１７の下流側に配置される。なお、冷媒循環路１６と分岐循環路２２との接続位置には、分岐循環路２２の開閉を切り替える循環路切り替え手段として三方弁２４、２５が設けられている。この三方弁２４、２５を切り替えることにより、圧縮機１５から吐出される冷媒を冷媒循環路１６のみで循環させて圧縮機１５に戻すか、冷媒循環路１６を循環して蒸発器２０から流出した冷媒をさらに分岐循環路２２で循環させ、冷却器２３に通してから圧縮機１５に戻すか、選択することができる。本実施の形態のように、分岐循環路２２の入口側及び出口側と冷媒循環路１６を接続する位置にそれぞれ三方弁２４、２５を設けることにより、冷媒循環路１６のみで冷媒を循環させる際に、分岐循環路２２の入口及び出口を完全に閉止して、分岐循環路２２や冷却器２３の内部が負圧になることを防止できるが、出口側の三方弁２５は省略することも可能である。
【００１３】
また、筐体１１内の蒸発器２０の下方には、蒸発器２０から滴下するドレン水を回収するドレン水回収部２６が設けられ、ドレン水回収部２６の底部にはドレン水回収部２６に溜まったドレン水を筐体１１の外部に排出するパイプ状のドレン水排出部２７が接続されている。
なお、図２、図３に示すように、冷媒循環路１６の途中（圧縮機１５の下流）には、冷媒循環路１６を開閉する電磁弁２８が設けられている。また、蒸発器２０と凝縮器１７との間、及び凝縮器１７と冷却器２３との間は、それぞれダクト状の空気案内流路３０、３１で接続することが好ましい。これにより、蒸発器２０の風路を通過した空気が漏れなく凝縮器１７、及び冷却器２３に案内され、それぞれの風路を確実に通過することができる。但し、空気案内流路３０、３１は必ずしも設ける必要はなく、省略してもよい。
また、除湿送風機１０は、図２、図３に示すように、ファン１４の駆動、三方弁２４、２５の切り替え、電磁弁２８の開閉等を制御する制御部３２を有している。この制御部３２には操作部３３が接続されており、操作部３３で目標湿度や送風量等を設定することにより、その設定に応じて制御部３２からファン１４、三方弁２４、２５、電磁弁２８等の各部に動作命令が送られる。
【００１４】
冷媒としては、例えば、冷凍機等で広く用いられているＲ４０４Ａが好適であるが、Ｒ４０７ＣやＲ４１０Ａ等のその他の冷媒も使用可能である。
また、凝縮器１７、蒸発器２０、冷却器２３としては、プレートフィンチューブ型の熱交換器が好適に用いられる。凝縮器１７、蒸発器２０、及び冷却器２３の寸法は、除湿送風機１０の使用環境、除湿送風機１０が設置される部屋の面積、要求される能力等によって、適宜、選択することができるが、凝縮器１７の寸法を例えば、横１８６０ｍｍ、高さ６６０ｍｍ、幅（厚さ）１７４ｍｍとした場合、蒸発器２０及び冷却器２３の寸法は、例えば、横１８６０ｍｍ、高さ９６０ｍｍ、幅（厚さ）２１２ｍｍである。このとき、隣り合うフィンとフィンの間隔（フィンピッチ）は、伝熱面積を大きくすることと、風路の圧力損失を考慮して、いずれも例えば２〜１０ｍｍとすることが好ましいが、これに限定されるものではない。
【００１５】
以上のように構成された除湿送風機１０の第１の動作について説明する。
まず、冷媒循環路１６を循環する冷媒の動きを説明する。
図２において、除湿送風機１０の運転を開始すると、電磁弁２８が開き、圧縮機１５で圧縮された高温高圧のガス冷媒（例えば、８０℃程度）が冷媒循環路１６に吐出され、凝縮器１７に流れ込む。凝縮器１７に流れ込んだ高温高圧のガス冷媒は、凝縮器１７を通過することにより、筐体１１内の周囲の空気に放熱し、液化しながら冷却される。凝縮器１７から流れ出た冷媒はレシーバータンク１８に流入し、液化しきれなかったガス冷媒が分離され、常温高圧の液状冷媒（例えば、３０℃程度）のみが膨張弁１９に流れ込む。常温高圧の液状冷媒は膨張弁１９で減圧され、流量を制御されながら低温低圧の液状冷媒（例えば、−５〜１０℃程度）となって蒸発器２０に送り込まれる。蒸発器２０に送り込まれた冷媒は、蒸発器２０を通過する間に、筐体１１内の周囲の空気から熱を吸収してガス化し、周囲の空気を冷却する。蒸発器２０から流れ出た冷媒はアキュームレーター２１に流入し、ガス化しきれなかった液状冷媒が分離され、低温低圧のガス冷媒（例えば、５℃程度）のみが圧縮機１５に戻される。圧縮機１５に戻されたガス冷媒は圧縮され、循環を繰り返す。
【００１６】
次に、室内と筐体１１内部との間の空気の流れを説明する。
図２において、除湿送風機１０の運転を開始すると、ファン１４が所定の回転数で回転する。これにより、上記の圧縮機１５による冷媒の循環と並行して、室内の空気が吸込口１２から筐体１１内に吸込まれて筐体１１内を通過し、吹出口１３から室内に吹出して、室内と筐体１１内部との間で空気が循環する。
吸込口１２から筐体１１内に吸込まれた空気は、まず、筐体１１内の空気の流れに対して最上流側に配置された蒸発器２０の風路を通過することにより冷却される。このとき、空気中に含まれる水分が凝縮し、霜となって蒸発器２０の表面に付着する。その後、蒸発器２０を通過した空気は下流側に配置された凝縮器１７の風路を通過することにより加熱される。このようにして筐体１１内を通過する空気は除湿され、吹出口１３から室内へ吹出す。なお、凝縮器１７からの放熱は、筐体１１内を通過する空気を加熱するだけでなく、蒸発器２０の表面に付着する霜を溶かすことができる。よって、圧縮機１５を停止させることなく、常時、除湿運転を行いながら、蒸発器２０を除霜することができる。凝縮器１７からの放熱によって溶かされた霜は、蒸発器２０の表面からドレン水回収部２６に滴下し、ドレン水排出部２７からドレン水として筐体１１の外部（屋外等）に排出される。
除湿と同時に蒸発器２０の除霜も行うことができ、蒸発器２０の表面（フィン）に霜が付かないため、膨張弁１９での冷媒の蒸発温度を０℃以下の極めて低い温度に設定することが可能となり、常温以下の快適な温度で送風を行うことができる。
【００１７】
次に、除湿送風機１０の第２の動作について説明する。
第２の動作を行う場合は、図３に示すように、三方弁２４、２５を切り替えて分岐循環路２２の入口及び出口を開き、冷媒循環路１６に連通させる。第２の動作において、除湿送風機１０の運転を開始し、圧縮機１５から吐出された冷媒が、冷媒循環路１６に沿って凝縮器１７、レシーバータンク１８、膨張弁１９、蒸発器２０を通過するまでは、第１の動作と同じである。その後、蒸発器２０から流れ出た低温低圧（例えば、５℃程度）の冷媒（ガス冷媒の他にガス化しきれなかった液状冷媒を一部含む）は、三方弁２４を通って分岐循環路２２に流れ込み、冷却器２３を通過する。このとき、蒸発器２０でガス化しきれなかった液状冷媒が筐体１１内の周囲の空気から熱を吸収してガス化し、周囲の空気を冷却する。冷却器２３から流れ出た冷媒は三方弁２５を通って分岐循環路２２から冷媒循環路１６に戻り、アキュームレーター２１に流入する。このとき、ガス化しきれなかった液状冷媒が残っている場合は、アキュームレーター２１で分離され、低温低圧のガス冷媒のみが圧縮機１５に戻される。圧縮機１５に戻されたガス冷媒は圧縮され、循環を繰り返す。
【００１８】
次に、第２の動作における空気の流れについてみると、吸込口１２から筐体１１内に吸込まれた空気が、蒸発器２０で冷却、除湿され、凝縮器１７で加熱されるまでは第１の動作と同じである。その後、凝縮器１７を通過して加熱された空気は冷却器２３の風路を通過する。このとき、冷却器２３の風路を通過する空気（凝縮器１７で加熱された空気）の温度よりも、冷却器２３の内部を流れる低温低圧の冷媒の温度（例えば、５℃程度）が低く、また、蒸発器２０でガス化しきれなかった液状冷媒も冷却器２３の内部でガス化するので、冷却器２３の風路を通過した空気は冷却されて吹出口１３から室内へ吹出す。
【００１９】
以上のように、第１の動作と第２の動作で、吹出口１３から室内へ吹出す空気の温度を変化させることができるので、例えば、除湿送風機１０に温湿度センサーを取り付け、室内の温湿度や設定湿度等に応じて、適宜、第１の動作と第２の動作を切り替えることにより、除湿された空気（例えば、５〜３０％程度）を適温（例えば、１０〜３０℃程度）で送風して室内を快適な環境に保つことができる。
【００２０】
次に、変形例の除湿送風機３５について説明する。
図４に示すように、除湿送風機３５が除湿送風機１０と異なるのは、分岐循環路２２に、分岐循環路２２を循環する冷媒の流量を調整する流量調整手段として、三方弁２４の下流側（三方弁２４と冷却器２３との間）に、流量調整弁３６が設けられている点である。これにより、三方弁２４、２５を切り替えて冷媒循環路１６と分岐循環路２２を連通させ、第２の動作を行う際に、冷却器２３を通過する冷媒の量を流量調整弁３６で簡単に調整することができる。この結果、冷却器２３による冷却量を変化させて、吹出口１３から室内へ吹出す空気の温度を調整（例えば、０〜４０℃程度）することが可能となる。
なお、除湿送風機３５では、三方弁２４、２５と流量調整弁３６を組み合わせて分岐循環路２２を循環する冷媒の流量を調整したが、流量調整手段はこれに限定されるものではなく、分岐循環路２２を循環する冷媒の流量を調整できるものであればよい。
【００２１】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
前記実施の形態においては、圧縮機１５、レシーバータンク１８、膨張弁１９、及びアキュームレーター２１を室内に設置される筐体１１に内蔵する構造としたが、これらの一部又は全てを別の筐体に収容する等して室外（屋外）に設置することもできる。
また、前記実施の形態では、絞り手段として膨張弁１９を用いたが、代わりにキャピラリーチューブを用いてもよい。
さらに、前記実施の形態では、循環路切り替え手段として２つの三方弁２４、２５を用いたが、循環路切り替え手段はこれに限定されるものではなく、分岐循環路２２の開閉（冷媒循環路１６と分岐循環路２２との連通の有無）を切り替えることができるものであればよい。
【符号の説明】
【００２２】
１０：除湿送風機、１１：筐体、１２：吸込口、１３：吹出口、１４：ファン（送風手段）、１５：圧縮機、１６：冷媒循環路、１７：凝縮器、１８：レシーバータンク、１９：膨張弁（絞り手段）、２０：蒸発器、２１：アキュームレーター、２２：分岐循環路、２３：冷却器、２４、２５：三方弁（循環路切り替え手段）、２６：ドレン水回収部、２７：ドレン水排出部、２８：電磁弁、３０、３１：空気案内流路、３２：制御部、３３：操作部、３５：除湿送風機、３６：流量調整弁
【図１】
2019020020.tif 000003
【図２】
2019020020.tif 000004
【図３】
2019020020.tif 000005
【図４】
2019020020.tif 000006